(57)【要約】【課題】構造が簡単で、組み立て並びに分解が容易であり、快適かつ安全な睡眠を実現し得る折り畳み式の携帯型ベットを提供する。【解決手段】ヒンジ部によって各々の端部が互いに連接され、折り畳み並びに開帳が自在な２つのマット部からなる折り畳み式携帯型ベットにおいて、該マット部の各々の断面形状をその底面がその両側面よりも低い船底型とする。また、該マット部の各々には、折り畳み並びに展開が自在な脚部や、携帯用の手提げ部を設けるようにしても良い。【選択図】図１
0003129975.tif 000002
【実用新案登録請求の範囲】
【請求項１】
ヒンジ部によって各々の端部が互いに連接され、折り畳み並びに開帳が自在な２つのマット部からなる折り畳み式携帯型ベットにおいて、
前記マット部の各々は、その底面が両側面よりも低い船底型の断面形状を有していることを特徴とする折り畳み式携帯型ベット。
【請求項２】
前記２つのマット部を折り畳んだ際に、両マット部の対向する底面間に生ずる収納スペース内に枕並びに毛布を収納し得ることを特徴とする請求項１に記載の折り畳み式携帯型ベット。
【請求項３】
前記マット部の各々は、折り畳み並びに展開が自在な脚部を有していることを特徴とする請求項１又は２に記載の折り畳み式携帯型ベット。
【請求項４】
前記マット部の各々は、携帯用の手提げ部を有していることを特徴とする請求項１乃至３の何れか１項に記載の折り畳み式携帯型ベット。
【請求項５】
前記２つのマット部を折り畳んだ後に、これを所定の収納袋に格納することにより容易に携帯し得ることを特徴とする請求項１ないし４の何れか１項に記載の折り畳み式携帯型ベット。
【考案の詳細な説明】
【技術分野】
【０００１】
本考案は、仕事場やアウトドア・レクリエーション等における仮眠用として用いられる組み立て式の簡易ベットに関するものであり、より詳細には、ヒンジ部によって各々の端部が互いに連接され、折り畳み並びに開帳が自在な２つのマット部からなる折り畳み式の携帯型ベットに関するものである。
【背景技術】
【０００２】
近年における社会活動の不眠化や生活様式の多様化に伴い、各種の産業において一日２４時間を通して活動を行なう就業形態が増えつつある。このような就業形態を採用する産業分野では就業者の休息やその睡眠を担保すべく、仮眠用の簡易ベットが広く使用されている。また、アウトドア・レクリエーションや工事現場等における一時的な休息・睡眠用として、或いは災害時における非常用として、携帯・搬送が可能な簡易ベットが数多く利用されている。
従来、このような仮眠用や臨時用、或いは非常用に供される簡易ベットとしては、例えば、特許文献１や特許文献２等に示されるような組み立て式、或いは折り畳み式のベットが使用されていた。
【０００３】
【特許文献１】特開２００５−９５３７２号公報
【特許文献２】登録実用新案第３０４７０２８号公報
【考案の開示】
【考案が解決しようとする課題】
【０００４】
しかしながら、従来から用いられているこれらの簡易ベットは、その形状、重量がともに大であり搬送・携帯時の利便性を欠くという欠点があった。また、その構造が複雑であるが故に製品コストの上昇を招き、さらに、その組み立て・分解時に手間と時間を要するという問題もあった。
【０００５】
本考案は、これらの課題を解決することを目的とするものであって、より具体的には、その構造が簡単で組み立て及び分解が容易であり、かつベットの使用者に快適で安全な睡眠を提供し得る折り畳み式の携帯型ベットを実現することを目的とする。
【課題を解決するための手段】
【０００６】
本考案の第１の観点による折り畳み式の携帯型ベットは、前述の目的を達成するため、ヒンジ部によって各々の端部が互いに連接され、折り畳み並びに開帳が自在な２つのマット部からなる折り畳み式携帯型ベットにおいて、該マット部の各々は、その底面が両側面よりも低い船底型の断面形状を有する構成となっている。
したがって、このような構成によれば、マット部の底面よりもその両側面が高い位置となるので、マット部の底面に寝ているベット使用者が寝返りなどをうつことによってベットから転落する事故を未然に防止することができる。
【０００７】
また、本発明の第２の観点による折り畳み式の携帯型ベットは、上記第１の観点において、２つのマット部を折り畳んだ際に、両マット部の対向する底面間に生ずる収納スペース内に枕並びに毛布を収納し得る構成となっている。
したがって、このような構成によれば、ベットにおいて就寝する際に不可欠である枕並びに毛布等の寝具類を常にベットと共に携帯することが可能となり、携帯型ベットしての利便性を向上させることができる。
【０００８】
また、本発明の第３の観点による折り畳み式の携帯型ベットは、上記第１又は第２の観点において、マット部の各々は折り畳み並びに展開が自在な脚部を有する構成となっている。
したがって、このような構成によれば、ベットの使用時には開脚し、その携帯時には折り畳むことが出来る脚部を備えることができるので、ベットの使用時並びに携帯時における利便性を向上させることができる。
【０００９】
また、本発明の第４の観点による折り畳み式の携帯型ベットは、上記第１乃至第３の何れか一つの観点において、マット部の各々は携帯用の手提げ部を有する構成となっている。
したがって、このような構成によれば、本考案に係るベットの移動時にかかる手提げ部を把持することが可能となるので、携帯型ベットしての利便性を向上させることができる。
【００１０】
また、本発明の第５の観点による折り畳み式の携帯型ベットは、上記第１乃至第４の何れか一つの観点において、二つのマット部を折り畳んだ後に、これを所定の収納袋に格納することにより容易に携帯し得る構成となっている。
したがって、このような構成によれば、本考案に係るベットを容易に移動させることが可能となるので、携帯型ベットしての利便性をさらに向上させることができる。
【考案の効果】
【００１１】
本考案によれば、その構造が簡単で組み立て並びに分解が容易であり、かつ使用者に快適な睡眠を提供し得る折り畳み式の携帯型ベットを実現することができる。特に、本考案によるベットは、その主要部であるマット部がいわゆる船底型の断面形状を有しているので、睡眠中における就寝者のベットからの転落事故を未然に防止することができる。
【考案を実施するための最良の形態】
【００１２】
以下に、本考案を実施するための最良の実施形態について、添付図面を参照しつつ説明を行う。
本発明の一つの実施形態である折り畳み式携帯型ベット１０（以下、単に「携帯ベット１０」という）の使用時における斜視図を図１に、また、その各部図面を図２に示す。因みに、図（２ａ）は携帯型ベット１０の使用時における平面図を、図（２ｂ）はその正面図を、図（２ｃ）はその側面図を、図（２ｄ）はその裏面図を、それぞれ表している。
【００１３】
図１からも明らかなように、本考案に基づく携帯ベット１０の主要部は、各々の端部がヒンジ部１２によって連接された２つのマット部１１から構成されている。マット部１１は、図（２ｃ）の側面図に示される如く、マット部底面がその側面よりも低位置にあるいわゆる船底型の断面形状を有している。なお、マット部１１には、その強度を保って就寝者の安全性を担保すべく、例えば、スチールやステンレス或いはアルミニウム等の金属素材を用いることが好ましい。
【００１４】
また、携帯ベット１０の使用時における快適性を担保すべく、これらの金属素材の表面には、例えば、ポリ塩化ビニール（ＰＶＣ）やポリウレタン等の樹脂厚膜によるコーティング処理を施すことが好ましい。なお、その快適性をさらに向上させるべく、これらのコーティング樹脂の皮膜中に、例えば、空気嚢を含有したいわゆる発泡樹脂層を設ける構造としても良い。
【００１５】
なお、マット部１１の側面を含むその周辺部のみに上記の金属素材を用い、その底面部には、例えば、ベニヤ板などの木材合板などを用いて携帯ベット１０全体の重量軽減を図るようにしても良い。また、マット部１１の素材としては、例えば、ＦＲＰ樹脂等の強化プラスチック素材を用いるようにしても良い。
【００１６】
マット部１１の隣接する各々の端部にはヒンジ部１２が設けられており、二つのマット部１１の端部同士は、かかるヒンジ部１２によって連接されている。ヒンジ部１２は自在に回動し得る回転軸（図示せず）を含んでいるため、該ヒンジ部１２を介して、２つのマット部１１を容易に開帳し、或いは容易に折り畳むことが可能な構造となっている。
【００１７】
また、マット部１１の底面裏側には、図（２ｄ）に示す如く、フレーム部１３が設けられており、該フレーム部の四隅には、折り畳み・展開が自在な脚部１４、並びに脚部１４の開脚動作を担う脚支持部１５が設けられている。なお、脚部１４に付随して、フレーム部１３の同一側にある脚部１４同士を連結して脚部の補強を図る棒状の脚連結部１６も設けられている。さらに、フレーム部１３の側面には、２つのマット部１１を折り畳んで携帯ベット１０を移動する際に用いられる手提げ部１７が設けられている。
【００１８】
なお、フレーム部１３、脚部１４、脚支持部１５、及び脚連結部１６には、その強度を担保すべく、スチールやステンレス或いはアルミニウム等の金属素材を用いることが好ましい。また、手提げ部１７の素材としては、かかる金属素材を用いても良いし、或いはＦＲＰ樹脂等の強化プラスチック素材を用いるようにしても良い。
【００１９】
なお、本考案による携帯ベット１０の構成は、図１，２に示される事例に限定されるものではなく、例えば、マット部１１の底面裏側にフレーム部１３を設けずに、脚部１４や脚支持部１５、手提げ部１７等の各部材を、直接にマット部１１の裏面に設ける構成としても良い。
【００２０】
次に、携帯ベット１０の使用方法について、添付図面を参照しつつ説明を行なう。
先ず、携帯ベット１０を使用する場合は、図１に示す如く、マット部１１をヒンジ部１２を回動軸として開帳させた後、更に各マット部の底面側に設けられた脚部１４の各々を開脚させて携帯ベット１０のセッティングを完了させる。携帯ベット１０のユーザーは、携帯ベット１０をかかる使用状態にセットした後、枕及び毛布等の寝具を併用してマット部１１の底面に横臥すれば、快適な睡眠を摂ることが可能となる。
【００２１】
本考案による携帯ベット１０においては、図（２ｃ）の側面図からも明らかなように、マット部１１がいわゆる船底型の断面形状を有している。したがって、携帯ベット１０のユーザーが就寝中に寝返りを打って、身体の位置をマット部１１の底面中央部からその側面部に移動させた場合でも、マット部１１の底面と側面部との高低差によって身体の動きが抑止され、ユーザーの身体がベットから転落することを防ぐことができる。
【００２２】
次に、本考案による携帯ベット１０を折り畳んで収納する場合について、添付図面の図３乃至５を参照しつつ説明を行なう。
【００２３】
携帯ベット１０の使用を終えたユーザーは、図（３ａ）に示す携帯ベット１０の正面図において、各々の脚部１４を図中の矢印Ａ方向に倒して脚部１４の折り畳み動作を実行する。かかる動作によって、脚部折り畳み後の携帯ベット１０の正面図（図（３ｃ））に示される如く、脚部１４の各々が折り畳まれてフレーム部１３の内側に格納される。なお、脚部１４の各々が折り畳まれた後の携帯ベット１０の側面図を図（３ｄ）に、その裏面図を図（３ｅ）に示す。
【００２４】
以下において、脚部１４の折り畳み動作に関し、添付図面の図４を用いてさらに説明を行なう。
先ず、脚部１４が展開されている状態、すなわち脚部１４が立脚している状態を図（４ａ）に示す。同図に示される如く、脚部１４の一端はフレーム部１３のフレーム枠に回転軸１４ａを介して連接されており、脚部１４の他の一端は回転軸１４ｂを介して脚支持部１５の一片１５ａに連接されている。一方、脚支持部片１５ａは、回転軸１５ｄを介して脚支持部１５の他の一片１５ｂに連接されており、脚支持部片１５ｂは同じく回転軸１５ｃを介してフレーム部１３のフレーム枠に連接されている。
【００２５】
脚支持部片１５ａと１５ｂの各々は、回転軸１５ｄを介する連接部において、それぞれの端部に設けられた切り欠き部と突設部によって嵌合されており、脚支持部片１５ａと１５ｂとが一直線上に連なっているときは（図（４ａ）に示される状態）、回転軸１４ｂを介して脚部１４の一端を堅固に担持している。
【００２６】
一方、図（４ｂ）に示す如く、携帯ベット１０のユーザーが、図中のＢ方向に力を加えると同時に、脚部１４の先端に対して図中のＡ方向の力を加えると、脚支持部片１５ａ及び１５ｂの切り欠き部と突設部による嵌合が解除される。これによって、脚部１４は図（４ｃ）に示される如く、フレーム部１３のフレーム枠内に折り畳まれることになる。
【００２７】
なお、脚部１４の基底部、すなわち、脚部１４とフレーム部１３のフレーム枠との連接部には大きな負荷加重が加わるため、例えば、脚部１４の基底部を回転軸１４ａを介して、脚部１４が折り畳まれる方向に開放されているコの字型の補強部材（図示せず）に連接させ、かかるコの字型の補強部材をフレーム部１３のフレーム枠内に固定させる構造としても良い。
【００２８】
次に、脚部１４を折り畳んだ後におけるマット部１１の折り畳み動作について、添付図面の図５を用いて説明する。因みに、図（５ａ）は脚部１４を折り畳んだ状態の携帯ベット１０の正面図を、図（５ｂ）はその側面図をそれぞれ表している。
【００２９】
先ず、携帯ベット１０のユーザーは、それぞれのマット部１１の端部を、図（５ａ）中の矢印Ａ方向に向けて折り畳む。前述したように、２つのマット部１１の隣接する端部同士は、回転軸１２ａを中心として回動自在なヒンジ部１２によって連接されている。それ故、かかる動作によって、ヒンジ部１２を中心として２つのマット部１１同士を容易に折り畳むことができるのである。
【００３０】
なお、上記の折り畳み動作時における、ヒンジ部１２近傍の動きを図（５ｃ）の拡大図に示す。また、マット部１１を折り畳んだ後における、携帯ベット１０の裏面図を図（５ｄ）に、その側面図を図（５ｅ）に示す。
【００３１】
次に、携帯ベット１０を折り畳んだ状態の斜視図を図（６ａ）に示す。本考案による携帯ベット１０は、各々のマット部１１の断面が船底型をしているため、このように２つのマット部１１を対向させて折り畳んだ状態では、マット部１１の向かい合った底面間に空間部が形成される。したがって、かかる空間部を収納スペースとして利用すれば、枕や毛布などの寝具類、或いは寝巻きやパジャマなどの衣類を格納することができる。
【００３２】
なお、マット部１１の底面や側面部に、例えば、ベルトや粘着テープなどの係止手段（図示せず）を設けて、枕や毛布などの寝具類等をマット部１１の底面や側面部に固定する構成としても良い。或いは、マット部１１の底面の一部にポケット状の構造を付加して、そのポケット内部にこれらの寝具類等を収納する構成としても良い。
【００３３】
折り畳んだ携帯ベット１０は、手提げ部１７を掴むことによって容易に持ち運ぶことができるが、さらに、図（６ｂ）に示すような携帯用のショルダーバック２０を用意し、その中に折り畳んだ状態の携帯ベット１０を収納する構成としても良い。かかる構成をとることによって、運搬者の疲労をまねくこと無く、長時間・長距離に亘って携帯ベット１０の搬送を行う事が可能となる。
【００３４】
また、携帯ベット１０をかかるショルダーバック２０に収納することにより、ゴミや埃等によって携帯ベット１０が汚損されることを未然に防止することができる。さらに、人目を気にすること無く、ショルダーバック２０に収納された携帯ベット１０を、事務所や仕事場の片隅に常時備え付けておくことも可能となる。
【００３５】
なお、本考案は以上に説明した実施形態に限定されるものではなく、例えば、本考案を構成する各部位の形状や配置或いはその素材等は、本考案の趣旨を逸脱することなく、現実の実施対応に即して適宜変更ができるものであることは言うまでもない。
【産業上の利用可能性】
【００３６】
以上に説明した本考案の構成は、仮眠用に用いられる簡易ベットや、寝椅子、或いはソファー等の家具類においてもその利用が可能である。
【図面の簡単な説明】
【００３７】
【図１】本考案による携帯型ベットの使用時の形態を示す斜視図である。
【図２】本考案による携帯型ベットの使用時における形態を示す各部の図面である。
【図３】本考案による携帯型ベットの脚部を折り畳んだ際における形態を示す各部の図面である。
【図４】本考案による携帯型ベットの脚部の折り畳み動作を示す説明図である。
【図５】本考案による携帯型ベットのマット部の折り畳み動作、並びにマット部を折り畳んだ際の形態を示す各部の図面である。
【図６】本考案による携帯型ベットのマット部を折り畳んだ際の形態を示す斜視図、並びに当該ベットを搬送する携帯用ショルダーバックの説明図である。
【符号の説明】
【００３８】
１０    …  折り畳み式携帯型ベット
１１    …  マット部
１２    …  ヒンジ部
１３    …  フレーム部
１４    …  脚部
１５    …  脚支持部
１６    …  脚連結部
１７    …  手提げ部
２０    …  携帯用ショルダーバック
【図１】
0003129975.tif 000003
【図２】
0003129975.tif 000004
【図３】
0003129975.tif 000005
【図４】
0003129975.tif 000006
【図５】
0003129975.tif 000007
【図６】
0003129975.tif 000008